【事件の表示】
　特許第３３９６６２２号「弾球遊技機の中継端子基板」の請求項１に係る特許に対する特許異議の申立てについて、次のとおり決定する。
【結　論】
　訂正を認める。
　特許第３３９６６２２号の請求項１に係る特許を取り消す。
【理　由】
１．手続の経緯
　特許第３３９６６２２号（請求項の数１）に係る発明についての出願は、平成１年５月１７日に特許出願された平成１年特許願第１２３４６８号の分割出願であって、平成１５年２月７日にその発明について特許権の設定登録がなされ、その後、請求項１に係る特許について、申立人・田中秀幸より特許異議の申立てがなされ、平成１６年１１月１６日付けで取消しの理由が通知され、その指定期間内である平成１７年１月２５日に訂正請求がなされたものである。
　
２．訂正の適否についての判断
（１）訂正の内容
　訂正事項ａは、特許請求の範囲の請求項１を以下のとおり訂正するものである。
「始動入賞口に関連して設けられる始動入賞玉検出器の検出信号があることを条件として特定遊技状態を発生せしめる弾球遊技機に設けられる中継端子基板において、
　前記中継端子基板は、制御基板からの配線が接続される制御基板接続端子と、弾球遊技機に設けられる電気的遊技装置のうち主遊技装置からの配線を接続する主遊技装置接続端子と、前記電気的遊技装置のうち副遊技装置からの配線を接続する副遊技装置接続端子と、を含み、
　前記副遊技装置接続端子の各接続端子の色を、当該接続端子に接続される電気的装置の配線に係る色と同一とすると共に、
前記中継端子基板のほぼ中央にその差込みピンが中継端子基板と直交するように植立される前記主遊技装置接続端子が２列に配列され、該主遊技装置接続端子の外側上下にその差込みピンが中継端子基板と直交するように植立される前記制御基板接続端子がそれぞれ配置され、さらに該制御基板接続端子の外側であって中継端子基板の上下端辺部にその差込みピンが中継端子基板と平行となるように植立される前記副遊技装置接続端子が
　
　訂正事項ｂは、明細書の段落【０００４】を以下のとおり訂正するものである。
「【課題を解決するための手段】
　上記した目的を達成するために、この発明においては、始動入賞口に関連して設けられる始動入賞玉検出器の検出信号があることを条件として特定遊技状態を発生せしめる弾球遊技機に設けられる中継端子基板において、前記中継端子基板は、制御基板からの配線が接続される制御基板接続端子と、弾球遊技機に設けられる電気的遊技装置のうち主遊技装置からの配線を接続する主遊技装置接続端子と、前記電気的遊技装置のうち副遊技装置からの配線を接続する副遊技装置接続端子と、を含み、前記副遊技装置接続端子の各接続端子の色を、当該接続端子に接続される電気的装置の配線に係る色と同一とすると共に、
前記中継端子基板のほぼ中央にその差込みピンが中継端子基板と直交するように植立される前記主遊技装置接続端子が２列に配列され、該主遊技装置接続端子の外側上下にその差込みピンが中継端子基板と直交するように植立される前記制御基板接続端子がそれぞれ配置され、さらに該制御基板接続端子の外側であって中継端子基板の上下端辺部にその差込みピンが中継端子基板と平行となるように植立される前記副遊技装置接続端子が
　
　訂正事項ｃは、明細書の段落【０００５】を以下のとおり訂正するものである。
「上記のように構成することにより、中継端子基板に設けられる副遊技装置接続端子の色を、接続される電気的装置に使用されている配線に係る色と同一としたので、接続端子の色と同じ色に係る配線を接続すれば良いので、誤配線を確実に防止することができる。また、
中継端子基板の上下に配置されるそれぞれの
　
　訂正事項ｄは、明細書の段落【００３５】を以下のとおり訂正するものである。
「【発明の効果】
　以上、説明したところから明らかなように、本発明に係る弾球遊技機の中継端子基板は、副遊技装置接続端子の色を、接続される電気的装置に使用されている配線に係る色と同一としたので、接続端子の色と同じ色に係る配線を接続すれば良いので、誤配線を確実に防止することができる。また、
中継端子基板の上下に配置されるそれぞれの
　
（２）訂正の目的の適否、新規事項の有無及び拡張・変更の存否
　上記訂正事項ａは、訂正前明細書の段落【００２８】の「中継端子基板９０のほぼ中央には、主遊技装置としての可変入賞球装置５０からの配線７３が接続される主遊技装置コネクタ群９１が植立される。図示の実施形態では、主遊技装置コネクタ群９１として、４つの主遊技装置コネクタ９１ａ〜９１ｄが上下２列に配列される。また、主遊技装置コネクタ群９１の外側上下には、前記制御基板ボックス４６に収納される制御基板からの配線４７が接続される制御基板コネクタ群９２が植立される。図示の実施形態では、制御基板コネクタ群９２として、３つの制御基板コネクタ９２ａ〜９２ｃが主遊技装置コネクタ群９１の上下に配列される。更に、制御基板コネクタ群９２の外側上下には、前記した副遊技装置からの配線がそれぞれ接続される副遊技装置コネクタ群９３が植立される。」との記載及び段落【００２９】の「上記したコネクタ群のうち中継端子基板９０の内側に配列される主遊技装置コネクタ群９１と制御基板コネクタ群９２とは、図４に示すように、その差込みピンが中継端子基板９０と直交するように植立され、副遊技装置コネクタ群９３は、その差込みピンが中継端子基板９０と平行となるように植立されている。このように植立することにより、それぞれの配線の接続作業を行い易くしている。」との記載に基づいて、「前記制御基板接続端子が前記主遊技装置接続端子と前記副遊技装置接続端子とによって挟まれるように配置された」という中継端子基板に係る事項を、「前記中継端子基板のほぼ中央にその差込みピンが中継端子基板と直交するように植立される前記主遊技装置接続端子が２列に配列され、該主遊技装置接続端子の外側上下にその差込みピンが中継端子基板と直交するように植立される前記制御基板接続端子がそれぞれ配置され、さらに該制御基板接続端子の外側であって中継端子基板の上下端辺部にその差込みピンが中継端子基板と平行となるように植立される前記副遊技装置接続端子が配置された」と限定するものであるから、特許請求の範囲の減縮を目的とした明細書の訂正に該当し、新規事項の追加に該当せず、実質上特許請求の範囲を拡張し、又は変更するものでもない。
　
　また、上記訂正事項ｂないし訂正事項ｄは、訂正前明細書の上記記載事項に基づいて、明細書全体の整合を図るものであるから、明りょうでない記載の釈明を目的とした明細書の訂正に該当し、新規事項の追加に該当せず、実質上特許請求の範囲を拡張し、又は変更するものでもない。
　
（３）むすび
　以上のとおりであるから、本件訂正は、特許法第１２０条の４第３項において準用する平成６年法律第１１６号による改正前の特許法第１２６条第１項ただし書き、第２項及び第３項の規定に適合するので、当該訂正を認める。
　
３．取消理由ついての判断
（１）本件発明
　上記２．で示したように本件訂正が認められるから、本件の請求項１に係る発明（以下、「本件発明」という。）は、本件訂正に係る訂正明細書の特許請求の範囲の請求項１に記載された事項により特定されるとおりのものである（上記２．（１）の訂正事項ａ参照）。
　
（２）引用刊行物に記載された発明
ア．当審が通知した取消しの理由で引用した実願昭６１−１０１８４５号（実開昭６３−８０７６号）のマイクロフィルム（申立人の提出した甲第１号証、以下「刊行物１」という。）には、第１図〜第７図と共に以下の事項が記載されている。
ａ．「第５図乃至第７図は本考案に係るパチンコ機の一実施例の概略がそれぞれ示されており、このパチンコ機１は前面枠２、金枠３、ガラス扉枠４を有し、ガラス扉枠４の背面側に遊技盤５が配設されている。」（明細書第５頁第１９行〜第６頁第３行）
ｂ．「前記遊技盤５の遊技領域５ａには遊技に供される装置として入賞口１４、始動入賞口１５、１６、１７、ランプ付チューリップ式の入賞玉装置１８、可変入賞玉装置１９、可変表示装置２０、状態表示装置２１が設けられている。」（明細書第７頁第５〜９行）
ｃ．「可変入賞玉装置１９はセグメント表示器からなる可変表示装置２０が予め定める表示状態を表示したときに後述するソレノイド５１の駆動によりその表面に開閉自在に軸支された開閉扉１９ａが所定時間または所定個数の入賞玉があるまで開放する構造であり、また前記ランプ装置２１ａ及び状態表示装置２１は可変表示装置２０が予め定める表示態様になったときに点滅して遊技場の従業員及び遊技者にその状態を報知するものである。」（明細書第７頁第１３行〜第８頁第２行）
ｄ．「入賞玉集合カバー部材４０は第３図に示すようにその前面に前記入賞口１４、各始動入賞口１５、１６、１７に対応して、それぞれの入賞口に入った入賞玉を導く経路４１、４２、４３、４４が形成され、特に始動入賞口１５〜１７に対応する経路４２〜４４の末端には入賞玉検出スイッチ４５〜４７が介挿されている。」（明細書第９頁第１８行〜第１０頁第４行）
ｅ．「中継基板７０はその表面側にプリント配線がなされるとともにその裏面側に入賞玉検出スイッチ４５〜４７、状態表示装置２１、可変入賞玉装置１９、制御回路基板８０等に対応する接続端子７１ａ〜７１ｇが固着されている。より詳細に説明すると、接続端子７１ａは前面枠２に設けられるランプ装置２１ａ用、接続端子７１ｂはランプ付チューリップ式の入賞玉装置１８用、接続端子７１ｃは制御回路基板８０用、接続端子７１ｄは状態表示装置２１用、接続端子７１ｅは入賞玉検出スイッチ４５〜４７用、接続端子７１ｆは可変入賞玉装置１９用、接続端子７１ｇは開閉扉１９ａを開閉駆動するソレノイド５１用である。」（明細書第１０頁第１３行〜第１１頁第５行）
ｆ．第２図には、接続端子７１ｃが、接続端子７１ｆと接続端子７１ａ及び接続端子７１ｂとによって挟まれるように配置されることが示されている。
　上記記載事項及び図示内容を総合すると、刊行物１には、以下の発明（以下、「引用発明１」という。）が記載されているものと認められる。
「可変表示装置２０が予め定める表示状態を表示したときにソレノイド５１の駆動によりその表面に開閉自在に軸支された開閉扉１９ａが所定時間または所定個数の入賞玉があるまで開放するパチンコ機に設けられる中継基板７０において、中継基板７０は前面枠２に設けられるランプ装置２１ａ用接続端子７１ａ、ランプ付チューリップ式の入賞玉装置１８用接続端子７１ｂ、制御回路基板８０用接続端子７１ｃ、状態表示装置２１用接続端子７１ｄ、入賞玉検出スイッチ４５〜４７用接続端子７１ｅ、可変入賞玉装置１９用接続端子７１ｆ、開閉扉１９ａを開閉駆動するソレノイド５１用接続端子７１ｇが固着され、制御回路基板８０用接続端子７１ｃが、可変入賞玉装置１９用接続端子７１ｆと前面枠２に設けられるランプ装置２１ａ用接続端子７１ａ及びランプ付チューリップ式の入賞玉装置１８用接続端子７１ｂとによって挟まれるように配置されるパチンコ機の中継基板７０。」
　
イ．同じく引用した実願昭６１−１３３１５６号（実開昭６３−３９８７２号）のマイクロフィルム（申立人の提出した甲第３号証、以下「刊行物２」という。）には、第１図〜第２図と共に以下の事項が記載されている。
ａ．「複数個の入出力装置を接続するための複数個の接続口雌コネクタを有し、これらの雌コネクタの夫々に、前記複数個の入出力装置の夫々に接続するケーブル端の雄コネクタを嵌合接続する端末装置において、この端末装置側の雌コネクタと前記ケーブル側の雄コネクタとの対応する対毎に、これらに目視により区別できる異なる色付を施したことを特徴とする端末装置。」（実用新案登録請求の範囲）
ｂ．「以上に説明したように、本考案によれば、各コネクタを色分けして識別させることにより、簡単に一目見て接続位置を確認することができ、何人でも迅速かつ誤りなくケーブルの接続を行えるという効果がある。」（明細書第５頁第１２〜１６行）
　上記記載事項及び図示内容を総合すると、刊行物２には、以下の発明（以下、「引用発明２」という。）が記載されているものと認められる。
「迅速かつ誤りなくケーブルの接続を行えるようにするために、端末装置側の雌コネクタとケーブル側の雄コネクタとの対応する対毎に、これらに目視により区別できる異なる色付を施した端末装置。」
　
（３）対比・判断
　本件発明と引用発明１とを対比すると、後者における「パチンコ機」は、その作用・機能からみて前者における「弾球遊技機」に相当し、以下同様に、「中継基板７０」は「中継端子基板」に、「制御回路基板８０用接続端子７１ｃ」は「制御基板からの配線が接続される制御基板接続端子」に、「可変入賞玉装置１９用接続端子７１ｆ」は「弾球遊技機に設けられる電気的遊技装置のうち主遊技装置からの配線を接続する主遊技装置接続端子」に、そして「前面枠２に設けられるランプ装置２１ａ用接続端子７１ａ」及び「ランプ付チューリップ式の入賞玉装置１８用接続端子７１ｂ」は「電気的遊技装置のうち副遊技装置からの配線を接続する副遊技装置接続端子」に相当すると認められる。
　してみれば、本件発明と引用発明１とは、
「弾球遊技機に設けられる中継端子基板において、
　前記中継端子基板は、制御基板からの配線が接続される制御基板接続端子と、弾球遊技機に設けられる電気的遊技装置のうち主遊技装置からの配線を接続する主遊技装置接続端子と、前記電気的遊技装置のうち副遊技装置からの配線を接続する副遊技装置接続端子と、を含む弾球遊技機の中継端子基板。」
である点で一致し、次の点で相違する。
相違点１：本件発明は、副遊技装置接続端子の各接続端子の色を、当該接続端子に接続される電気的装置の配線に係る色と同一としているのに対して、引用発明１は、そのような構成となっているかどうか明らかでない点
相違点２：本件発明は、中継端子基板のほぼ中央に主遊技装置接続端子が２列に配列され、該主遊技装置接続端子の外側上下に制御基板接続端子がそれぞれ配置され、さらに該制御基板接続端子の外側であって中継端子基板の上下端辺部に副遊技装置接続端子が配置されているのに対して、引用発明１は、制御基板接続端子が主遊技装置接続端子と副遊技装置接続端子とによって挟まれるように配置される点
相違点３：本件発明は、主遊技装置接続端子は、差込みピンが中継端子基板と直交するように植立され、制御基板接続端子は、差込みピンが中継端子基板と直交するように植立され、副遊技装置接続端子は、差込みピンが中継端子基板と平行となるように植立されるのに対して、引用発明１は、そのような構成となっているかどうか明らかでない点
相違点４：弾球遊技機の種類について、本件発明は、始動入賞口に関連して設けられる始動入賞玉検出器の検出信号があることを条件として特定遊技状態を発生せしめるものであるのに対して、引用発明１は、可変表示装置が予め定める表示状態を表示したときにソレノイドの駆動によりその表面に開閉自在に軸支された開閉扉が所定時間または所定個数の入賞玉があるまで開放するものである点
　
　相違点１について検討するに、上記相違点１に相当する構成は、引用発明２も備えるものである。そして、引用発明２は、その構成により、配線接続の誤りをなくそうとするものである。引用発明１においても、配線接続の誤りをなくそうとすることは当業者にとって、自明な課題であるから、引用発明１に引用発明２の上記相違点１に相当する構成を付加することに格別の困難性はない。
　
　相違点２について検討するに、本件発明の相違点２に係る構成は、言い換えれば、制御基板接続端子が主遊技装置接続端子と副遊技装置接続端子とによって挟まれるような配置を、上下に線対称に２組配置した構成と言える。接続端子の個数は、遊技機が備える主遊技装置、副遊技装置の個数、複雑さ等に応じて決まるものであり、主遊技装置、副遊技装置の個数が増え、構成が複雑になれば、制御基板接続端子、主遊技装置接続端子及び副遊技装置接続端子の数も増えて、必然的に２組以上必要になるものである。そして、引用発明１の制御基板接続端子、主遊技装置接続端子及び副遊技装置接続端子の組を２組設ける場合に、その組の配置の態様は、上下に線対称に配置する、上下に同じ向きに配置する、左右に配置する等が通常の選択肢と考えられるところ、どの選択肢を採用するかは、中継端子基板自体の形状の制約、接続端子の接続の容易さ等を考慮して、当業者が適宜決定する設計的事項である。
　本件発明において、制御基板接続端子、主遊技装置接続端子及び副遊技装置接続端子の組を上下に線対称に配置したことに格別の技術的意義があるとは認められず、相違点２に係る本件発明の構成は当業者が容易に想到し得たことである。
　
　相違点３について検討するに、一般的な接続端子において、そのピンの植立方向が、基板に平行なものも基板に垂直なものも従来より知られているところであり、植立方向をどちらのものとするかは、接続端子の接続の容易さ等を考慮して、当業者が適宜決定する設計的事項である。
　そして、基板の中央部分に配置される接続端子は、基板と平行方向からの差し込みが困難であり、基板の周辺部分に配置される接続端子は、基板と平行方向からの差し込みも容易であることも、当業者にとって明らかな事項である。
　よって、相違点３に係る本件発明の構成は、上記の当業者にとって明らかな事項に基づき、当業者が通常の設計を行った結果得られるものに過ぎず、その点に格別の困難性があるとは言えない。
　
　相違点４について検討するに、始動入賞口に関連して設けられる始動入賞玉検出器の検出信号があることを条件として特定遊技状態を発生せしめる弾球遊技機は、例えば実願昭６１−６２８８８号（実開昭６２−１７４５７５号）のマイクロフィルム（申立人の提出した甲第２号証）にも記載されているように、従来より周知のものである。そして、引用発明１において、弾球遊技機の種類は適宜変更できるものであることは明らかであり、それを、上記周知ものにした点に格別の困難性があるとは言えない。
　
　そして、本件発明により奏される効果も、引用発明１及び引用発明２から当業者が予測し得るものである。
　したがって、本件発明は、引用発明１及び引用発明２に基づいて当業者が容易に発明をすることができたものである。
　
（４）むすび
　以上のとおりであるから、本件発明は、特許法第２９条第２項の規定により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１７年４月４日（２００５．４．４）
【訂正の要旨】
審決（決定）の【理由】欄参照。
（５４）【発明の名称】
弾球遊技機の中継端子基板
（５７）【特許請求の範囲】
　【請求項１】　始動入賞口に関連して設けられる始動入賞玉検出器の検出信号があることを条件として特定遊技状態を発生せしめる弾球遊技機に設けられる中継端子基板において、
　前記中継端子基板は、制御基板からの配線が接続される制御基板接続端子と、弾球遊技機に設けられる電気的遊技装置のうち主遊技装置からの配線を接続する主遊技装置接続端子と、前記電気的遊技装置のうち副遊技装置からの配線を接続する副遊技装置接続端子と、を含み、
　前記副遊技装置接続端子の各接続端子の色を、当該接続端子に接続される電気的装置の配線に係る色と同一とすると共に、
前記中継端子基板のほぼ中央にその差込みピンが中継端子基板と直交するように植立される前記主遊技装置接続端子が２列に配列され、該主遊技装置接続端子の外側上下にその差込みピンが中継端子基板と直交するように植立される前記制御基板接続端子がそれぞれ配置され、さらに該制御基板接続端子の外側であって中継端子基板の上下端辺部にその差込みピンが中継端子基板と平行となるように植立される前記副遊技装置接続端子が
【発明の詳細な説明】
　【０００１】
　【発明の属する技術分野】
　本発明は、遊技盤に配設される始動入賞口に関連して設けられる始動入賞玉検出器の検出信号があることを条件として特定遊技状態を発生せしめる弾球遊技機に設けられる中継端子基板であって前記始動入賞玉検出器からの配線を接続する始動用接続端子を含む複数の接続端子が設けられる弾球遊技機の中継端子基板に関するものである。
　【０００２】
　【従来の技術】
　近年、例えば、遊技盤に設けられる可変表示装置、可変入賞球装置等の電気的部品を含んだ主遊技装置や遊技盤及び前面枠に設けられる入賞装置、表示（ランプ）装置、音声装置等の電気的部品を含んだ副遊技装置をマイクロコンピュータを含む制御回路で制御して、より複雑な遊技を楽しむ弾球遊技機が市場に提供されている。このような弾球遊技機にあっては、電気的部品を含んだ電気的装置と上記制御回路が形成される制御基板とを直接配線で接続するのではなく、例えば、遊技盤の裏面、又は遊技盤の裏面に固着される入賞玉集合カバー体の裏面に固着される中継端子基板を介してそれぞれが接続されるようになっていた。
　【０００３】
　【発明が解決しようとする課題】
　しかして、遊技盤や前面枠に多く電気的装置が設けられる場合には、その配線も必然的に多くなり、このため、その配線の先端に設けられるコネクタと中継基板に設けられる接続端子の接続作業の際には、熟練者でも誤配線をする場合があった。この発明は、上記した事情に鑑みなされたもので、その目的とするところは、誤配線を確実になくすことができる弾球遊技機の中継端子基板を提供することにある。
　【０００４】
　【課題を解決するための手段】
　上記した目的を達成するために、この発明においては、始動入賞口に関連して設けられる始動入賞玉検出器の検出信号があることを条件として特定遊技状態を発生せしめる弾球遊技機に設けられる中継端子基板において、前記中継端子基板は、制御基板からの配線が接続される制御基板接続端子と、弾球遊技機に設けられる電気的遊技装置のうち主遊技装置からの配線を接続する主遊技装置接続端子と、前記電気的遊技装置のうち副遊技装置からの配線を接続する副遊技装置接続端子と、を含み、前記副遊技装置接続端子の各接続端子の色を、当該接続端子に接続される電気的装置の配線に係る色と同一とすると共に、
前記中継端子基板のほぼ中央にその差込みピンが中継端子基板と直交するように植立される前記主遊技装置接続端子が２列に配列され、該主遊技装置接続端子の外側上下にその差込みピンが中継端子基板と直交するように植立される前記制御基板接続端子がそれぞれ配置され、さらに該制御基板接続端子の外側であって中継端子基板の上下端辺部にその差込みピンが中継端子基板と平行となるように植立される前記副遊技装置接続端子が
　【０００５】
　上記のように構成することにより、中継端子基板に設けられる副遊技装置接続端子の色を、接続される電気的装置に使用されている配線に係る色と同一としたので、接続端子の色と同じ色に係る配線を接続すれば良いので、誤配線を確実に防止することができる。また、
中継端子基板の上下に配置されるそれぞれの
　【０００６】
　【発明の実施の形態】
　以下、図面を参照して、この発明の実施形態について説明する。まず、図５及び図６に基づいて、実施形態に係る弾球遊技機について説明する。図５及び図６は、弾球遊技機の一例としてのパチンコ遊技機を示し、図５は、その正面図であり、図６は、その背面概略図である。
　【０００７】
　図５において、パチンコ遊技機１の額縁状に形成された前面枠２の開口には、扉保持枠３が周設され、該扉保持枠３の一側にガラス板４ａ，４ｂ（図４参照）を収納するガラス扉枠４および前面扉板５が開閉自在に枢着される。前記前面枠２の裏面には、遊技盤１０及び図示しない発射レール等を取り付ける遊技盤保持枠２６（図６参照）が固着される。前記前面扉板５には、打球供給皿６が取り付けられている。打球供給皿６は、後述する景品玉払出装置３６から排出された景品玉を貯溜し、且つ貯溜されたパチンコ玉を１個宛打球発射レールに誘導するように構成されている。また、打球供給皿６の上流側の下方の空間内に音声発生装置としてのスピーカー７が収納されている。このスピーカー７は、特定遊技状態になったときや、後述する始動入賞口１４ａ〜１４ｃや特定入賞口５６等に入賞玉が発生したときに、遊技の雰囲気を盛り上げるための効果音を発生するためのものである。
　【０００８】
　前記前面枠２の下部には、パチンコ玉を遊技盤１０の遊技領域１２に打ち出す操作ハンドル８と、余剰の景品玉を貯溜する余剰玉受皿９とが取り付けられている。そして、上記操作ハンドル８に対応するように前記前面枠２の下部裏面には、打球発射装置４０が固着される。この打球発射装置４０は、取付基板４１上に、一定速度で回転する打球モータ４２と、該打球モータ４２の回転軸に固定される回転カム４３と、該回転カム４３と係合することにより往復回動して打玉を弾発する打球杆４４と、該打球杆４４の下端と係合して図示しない打球供給装置の玉送り片を動作せしめる玉送り摺動杆４５とから成る。
　【０００９】
　前記遊技盤１０の表面には、打玉を遊技領域１２に導く誘導レール１１、図示しない多数の障害釘、各種の入賞球装置等が設けられている。より詳しく説明すると、遊技盤１０の遊技領域１２には、主遊技装置としての可変入賞球装置５０、副遊技装置としての始動入賞装置１３、風車ランプ装置１６ａ，１６ｂ、遊技効果表示装置２１ａ，２１ｂ、入賞口１８ａ，１８ｂ、１９ａ，１９ｂ、風車２０、及びアウト口２５等がそれぞれ配設される。
　【００１０】
　前記主遊技装置としての可変入賞球装置５０は、図７にその詳細を示すように、遊技盤１０に取付けられる取付基板５１を有し、その取付基板５１の中央に長方形状の入賞領域５２が形成されている。入賞領域５２の中央左右には、一対の可動部材５３ａ，５３ｂが回動軸６５ａ，６５ｂによって回動自在に軸支され、この可動部材５３ａ，５３ｂが入賞領域５２へ打玉を受け入れ易い第１の状態と打玉を受け入れない第２の状態とに変化自在に構成されている。すなわち、可動部材５３ａ，５３ｂは、後述する電気的駆動源であるソレノイド６６ａ，６６ｂによって開閉制御されるものである。また、入賞領域５２の内部には、上部誘導板５４ａ，５４ｂと振分け装置５５とが配置されている。
　【００１１】
　振分け装置５５は、電気的駆動源である後述する駆動モータ７０によって中央部分で上下に口を開けるように駆動され、その駆動されたときに上部誘導板５４ａ，５４ｂで誘導された入賞玉の一部がその口の中に入って後述する特定入賞口５６に誘導されるようになっている。また、上部誘導板５４ａ，５４ｂに誘導された入賞玉は、後方に導かれるようになっている。
　【００１２】
　更に、入賞領域５２の下方には、上記可動部材５３ａ，５３ｂによって受け入れられた打玉の一部が入賞する入賞口が複数設けられ、その中央が特定入賞口５６とされ、その左右が通常入賞口５７ａ，５７ｂとされる。特定入賞口５６には、特定入賞玉検出器７４（図１参照）が一体的に設けられる。
　【００１３】
　更に、可変入賞球装置５０の上部には、前面装飾板５８が突設して設けられ、その前面装飾板５８の上部後面に入賞口５９が形成され、その前面に後述する特定遊技状態となって所定の開閉サイクルを行っているときに、その開閉サイクルの繰返し回数を表示する継続回数表示器６０や、特別遊技状態である旨を報知する遊技効果ＬＥＤ６１が設けられている。また、取付基板５１の中央左右が横方向に延設されるように形成されるが、その延設部に１回の開閉サイクル中に可変入賞球装置５０に入賞した入賞玉数を表示する入賞個数表示器６２ａ，６２ｂが設けられるとともに、特別遊技状態である旨を報知する遊技効果ランプ６４ａ，６４ｂが設けられている。この遊技効果ランプ６４ａ，６４ｂの前面には、着色した透光性材料で形成された装飾レンズカバー６３ａ，６３ｂが貼着されている。
　【００１４】
　一方、可変入賞球装置５０の背面は、図１に示すような構造となっている。すなわち、前記可動部材５３ａ，５３ｂの回動軸６５ａ，６５ｂの後端には、作動部材６８ａ，６８ｂが係合しており、この作動部材６８ａ，６８ｂにソレノイド６６ａ，６６ｂのプランジャ６７ａ，６７ｂが連結されている。そして、作動部材６８ａ，６８ｂに連結された復帰スプリング６９ａ，６９ｂによって常に可動部材５３ａ，５３ｂが閉じる方向へ付勢され、ソレノイド６６ａ，６６ｂが励磁されたときにプランジャ６７ａ，６７ｂを吸引して回動軸６５ａ，６５ｂを回動し、可動部材５３ａ，５３ｂを開成させる。また、ソレノイド６６ａ，６６ｂの前方には、前記振分け装置５５を駆動する駆動モータ７０が配置され、この駆動モータ７０とソレノイド６６ａ，６６ｂとの間に中継端子基板７１が取付けられている。
　【００１５】
　そして、この中継端子基板７１に設けられるコネクタ群７２に前記ソレノイド６６ａ，６６ｂ、駆動モータ７０、継続回数表示器６０、遊技効果ＬＥＤ６１、入賞個数表示器６２ａ，６２ｂ、及び遊技効果ランプ６４ａ，６４ｂからの配線が一旦接続され、そのコネクタ群７２のうちの外部端子に後述する中継端子基板９０の主遊技装置コネクタ群９１と接続する配線７３が接続される。
　【００１６】
　なお、可変入賞球装置５０の可動部材５３ａ，５３ｂは、ソレノイド６６ａ，６６ｂによって開閉制御されるものであるが、横方向に摺動されるものであってもよいし、あるいは、遊技盤１０の表面に対して垂直方向に開閉する開閉板で構成しても良い。
　【００１７】
　上記した構成からなる可変入賞球装置５０においては、始動入賞口１４ａ〜１４ｃに打玉が入賞すると、始動入賞口１４ａ〜１４ｃに関連して設けられた後述する始動入賞玉検出器７５ａ〜７５ｃの検出出力に応答して前記可変入賞球装置５０の可動部材５３ａ，５３ｂを所定の第１の規制条件に基づいて相対的に短い時間間隔で開閉動作させるようになっている。すなわち、始動入賞口１４ａ〜１４ｃに打玉が入賞することによって、可動部材５３ａ，５３ｂが１回又は２回開閉動作を行うように駆動制御される。そして、この開閉動作中に可動部材５３ａ，５３ｂによって導かれた入賞玉が可変入賞球装置５０内に設けられた前記特定入賞口５６に入賞して特定入賞玉検出器７４をＯＮしたときには、いわゆる特定遊技状態となり、可動部材５３ａ，５３ｂの相対的に短い時間間隔の開閉動作を１８回行うか、あるいは１８回の開閉動作中に後述する入賞個数検出器８７が１０個の入賞玉を計数するまで開閉動作を行い（以下、開閉サイクルという）、更に、１８回の開閉動作中に再度特定入賞口５６に入賞玉が入賞して特定入賞玉検出器７４をＯＮさせると、その入賞した時点で開閉動作を直ちに停止し、次の開閉サイクルに移行する。ただし、この開閉サイクルの繰り返しは、入賞玉が特定入賞口５６に入賞することを条件として、最高８回に設定される。また、特定遊技状態になると、副遊技装置としての前記遊技効果表示装置２１ａ，２１ｂの遊技効果ランプ２２ａ，２２ｂ及び前記前面枠２の上部に設けられた枠表示装置２３の枠ランプ２４が点滅してその旨を遊技者に報知するようになっている。なお、この実施形態においては、上記した特定入賞玉検出器７４及び入賞個数検出器８７も副遊技装置を構成し、それらの配線が中継端子基板９０の副遊技装置コネクタ９３ｅ，９３ｆにそれぞれ接続される。
　【００１８】
　遊技領域１２に設けられる主遊技装置としての可変入賞球装置５０の構造及び動作は上記の通りであるが、遊技領域１２には、副遊技装置としての始動入賞装置１３、風車ランプ装置１６ａ，１６ｂ、遊技効果表示装置２１ａ，２１ｂや、単なる入賞口１８ａ，１８ｂ、チューリップ式入賞口１９ａ，１９ｂ、及び風車２０等が設けられている。副遊技装置としては、後述する制御基板ボックス４６に収納される制御基板に形成される制御回路によって制御される電気的部品を備えたものであり、前記始動入賞装置１３は、複数の始動入賞口１４ａ〜１４ｃを有するとともに、該始動入賞口１４ａ〜１４ｃに一体的に設けられる始動入賞玉検出器７５ａ〜７５ｃ（図１参照）と、始動入賞口１４ａ〜１４ｃとの間に設置される表示ランプ１５とを備えている。表示ランプ１５は、図１に示すようにランプ基板７６に設けられ、それぞれのランプ基板７６が電気的に接続されて接続端子７７から配線７９によって後述する中継端子基板９０の副遊技装置コネクタ９３ｇに接続される。また、始動入賞玉検出器７５ａ〜７５ｃから延びる配線７８も中継端子基板９０の副遊技装置コネクタ９３ｈに接続される。なお、表示ランプ１５は、始動入賞口１４ａ〜１４ｃに打玉が入賞したときや、特定遊技状態となったときに点灯、あるいは点滅してその旨を報知するようになっている。
　【００１９】
　また、副遊技装置としての風車ランプ装置１６ａ，１６ｂは、表示ランプ１７ａ，１７ｂを含み、その配線が中継端子基板９０の副遊技装置コネクタ９３ｄに接続される。この表示ランプ１７ａ，１７ｂも特定遊技状態のときに点灯、あるいは点滅してその旨を報知する。更に、副遊技装置としての遊技効果表示装置２１ａ，２１ｂは、遊技効果ランプ２２ａ，２２ｂを含み、その配線が中継端子基板９０の副遊技装置コネクタ９３ｂに接続される。この遊技効果ランプ２２ａ，２２ｂも特定遊技状態となったときに点灯、あるいは点滅してその旨を報知する。また、上記した表示ランプ１７ａ，１７ｂ、遊技効果ランプ２２ａ，２２ｂと同じ機能を有する枠ランプ２４を備えた枠表示装置２３が遊技盤１０ではなく、前記前面枠２の上部に設けられている。この枠表示装置２３も副遊技装置であり、その配線が中継端子基板９０の副遊技装置コネクタ９３ａにコネクタ９５を介して接続される。
　【００２０】
　上記で説明した各種の入賞口に入らなかった打玉は、誘導レール１１の最下部に設けられたアウト口２５に取り込まれる。
　【００２１】
　次に、図６に基づいてパチンコ遊技機１の背面について説明する。図６において、前記遊技盤１０は、取付具２７によって遊技盤保持枠２６に着脱自在に固定されている。この遊技盤１０の裏面には、前記の各入賞口の裏面を覆うように入賞玉集合カバー体８０ａ，８０ｂが取り付けられている。この入賞玉集合カバー体８０ａ，８０ｂについては、後に詳述する。
　【００２２】
　一方、遊技盤１０の裏面全体を覆うように機構板２８が開閉自在に設けられている。この機構板２８には、図６において、一点鎖線で示すように、その前面側に入賞玉を処理するための入賞玉処理機構が形成され、その後面側に景品玉を払出すための景品玉払出機構が形成されている。入賞玉処理機構は、前記入賞玉集合カバー体８０ａ，８０ｂに誘導されて左右に落下した入賞玉や前記可変入賞球装置５０内に入賞した入賞玉を受けて、一側に集合せしめる入賞玉集合樋２９と、該集合樋２９によって集められた入賞玉を１個づつ処理する入賞玉処理器３０と、該入賞玉処理器３０から排出される入賞玉を受けて、図示しない自動杆を作動させて後述する景品玉払出装置３６を作動させるための入賞玉払出通路３１等から成る。また、機構板２８の前面側には、前記アウト口２５から排出されるアウト玉を誘導するアウト玉払出通路３２も形成されている。
　【００２３】
　一方、景品玉払出機構は、図示しない補給機構から補給される景品玉を貯溜する景品玉タンク３３と、該景品玉タンク３３に貯溜されている景品玉を二列に整列させて流下させる景品玉整列樋３４と、該整列樋３４からの景品玉の流下方向を１８０度変化させるとともにその玉圧を弱める屈曲樋３５と、該屈曲樋３５からの景品玉を所定個数（１３個）受け入れて、１つの入賞玉に対応してその所定個数の景品玉を払出す景品玉払出装置３６と、該景品玉払出装置３６から払出された景品玉を図示しない景品玉排出通路を介して前記打球供給皿６に払出すための連通口３７（前記遊技盤保持枠２６の下方部分である支持板部に形成される）と、前記前面枠２の裏面に固定される接続樋３８を介して前記余剰玉受皿９に払い出すための図示しない余剰玉通路とから成る。
　【００２４】
　また、機構板２８のほぼ中央には、前記入賞玉集合カバー体８０ａ，８０ｂよりもやや小さい窓開口３９が開設され、前記可変入賞球装置５０の後方突出部が後方へ突き出るようにしている。更に、機構板２８の裏面には、制御基板を収納する制御基板ボックス４６が着脱自在に取り付けられ、この制御基板には、前記可変入賞球装置５０等の動作を制御すべくマイクロコンピュータを含む制御回路が構成されている。そして、制御基板からの延びる配線４７の先端に固着されるコネクタ４７ａ〜４７ｃが後述する中継端子基板９０の制御基板コネクタ群９２の制御基板コネクタ９２ａ〜９２ｃに接続されるようになっている。
　【００２５】
　ところで、前記遊技盤１０の裏面に固着される入賞玉集合カバー体８０ａ，８０ｂには、この実施形態の要部である中継端子基板９０が設けられているが、この構成について図１を参照して説明すると、入賞玉集合カバー体８０ａ，８０ｂは、上下２つに分割形成され、その中央には、前記可変入賞球装置５０の後部突出部分を突出させる開口８１が形成されている。また、入賞玉集合カバー体８０ａ，８０ｂのそれぞれには、遊技盤１０に取付けるための取付片８２ａ，８２ｂ、８３ａ，８３ｂが設けられるとともに、上部の入賞玉集合カバー体８０ａの取付片８２ａ，８２ｂには、前記遊技効果表示装置２１ａ，２１ｂの遊技効果ランプ２２ａ，２２ｂが取付られるようになっている。また、その外周に沿って、遊技効果ランプ２２ａ，２２ｂから延びる配線が収納される配線処理溝を構成する配線処理溝形成部材８４ａ，８４ｂが突設されている。また、下方の入賞玉集合カバー体８０ｂにも配線を処理するための配線処理部材８５ａや配線係止片８５ｂが形成されている。
　【００２６】
　一方、入賞玉集合カバー体８０ａ，８０ｂの前面には、遊技盤１０に設けられる入賞口から入賞した入賞玉を誘導する誘導径路８６ａ〜８６ｃが形成されるが、入賞玉集合カバー体８０ａ，８０ｂの中央下部の誘導径路８６ｃには、入賞個数検出器８７が設けられて、可変入賞球装置５０の可動部材５３ａ，５３ｂによって受け入れられた入賞玉を検出するようになっている。
　【００２７】
　また、上部の入賞玉集合カバー体８０ａの裏面には、この実施形態の要部である中継端子基板９０が取り付けられている。すなわち、入賞玉集合カバー体８０ａの一側には、図４に示すように取付部８８が突設され、該取付部８８にビスで中継端子基板９０を固定するようになっている。このように突出した取付部８８に中継端子基板９０を取付けるようにしたのは、中継端子基板９０にハンダ付けされるコネクタ群９１〜９３の後面に突出するピンを収納するように取付空間８９を形成するためである。これにより、中継端子基板９０をスムーズに取付けることができる。なお、下部の入賞玉集合カバー体８０ｂには、やや大きな中継端子基板９０でも安定して取付けることができるように、中継端子基板９０の裏面を支持する突起８８ａが形成され、また、上部の入賞玉集合カバー体８０ａには、中継端子基板９０の上端と当接する位置決め突片８８ｂが突設されて、中継端子基板９０の取付作業が行い易いようにしている。
　【００２８】
　上記のようにして取付けられる中継端子基板９０の構造について図２ないし図４を参照して説明すると、中継端子基板９０のほぼ中央には、主遊技装置としての可変入賞球装置５０からの配線７３が接続される主遊技装置コネクタ群９１が植立される。図示の実施形態では、主遊技装置コネクタ群９１として、４つの主遊技装置コネクタ９１ａ〜９１ｄが上下２列に配列される。また、主遊技装置コネクタ群９１の外側上下には、前記制御基板ボックス４６に収納される制御基板からの配線４７が接続される制御基板コネクタ群９２が植立される。図示の実施形態では、制御基板コネクタ群９２として、３つの制御基板コネクタ９２ａ〜９２ｃが主遊技装置コネクタ群９１の上下に配列される。更に、制御基板コネクタ群９２の外側上下には、前記した副遊技装置からの配線がそれぞれ接続される副遊技装置コネクタ群９３が植立される。図示の実施形態では、８つの副遊技装置コネクタ９３ａ〜９３ｈが制御基板コネクタ群９２の上下に４個づつ配列される。なお、前記した説明の中では、副遊技装置コネクタ群９３の中で副遊技装置コネクタ９３ｃについての説明をしていないが、この副遊技装置コネクタ９３ｃは、特定遊技状態（大当りともいう）となったときに、遊技場に設置される管理コンピュータ、又はパチンコ島台の上部に設置されるトップランプに信号を送るための大当り情報出力線９６に接続されるようになっている。
　【００２９】
　上記したコネクタ群のうち中継端子基板９０の内側に配列される主遊技装置コネクタ群９１と制御基板コネクタ群９２とは、図４に示すように、その差込みピンが中継端子基板９０と直交するように植立され、副遊技装置コネクタ群９３は、その差込みピンが中継端子基板９０と平行となるように植立されている。このように植立することにより、それぞれの配線の接続作業を行い易くしている。また、副遊技装置コネクタ群９３の近傍には、その接続コネクタに接続される副遊技装置の種別と配線の色を示す情報が印刷され、誤配線を起こさないように配慮されている。なお、色の情報としてコネクタ自体に着色しても良い。
　【００３０】
　また、上記した効果を奏する構成以外に、本実施形態における中継端子基板９０には、制御基板コネクタ群９２と主遊技装置コネクタ群９１及び副遊技装置コネクタ群９３とを電気的に接続するように接続ライン９４がプリント配線されている。しかして、この実施形態においては、３つの制御基板コネクタ９２ａ〜９２ｃのうち、上部一側に設けられる制御基板コネクタ９２ａに上部に位置する副遊技装置コネクタ９３ａ〜９３ｄと上部一側に位置する主遊技装置コネクタ９１ａ、及び下部他側に位置する主遊技装置コネクタ９１ｄが接続するように配線され、上部他側に設けられる制御基板コネクタ９２ｂに上部他側に位置する主遊技装置コネクタ９１ｂが接続され、下部に設けられる制御基板コネクタ９２ｃに下部に位置する主遊技装置コネクタ９１ｃ，９１ｄと下部に位置する副遊技装置コネクタ９３ｅ〜９３ｈが接続されている。このため、相互の接続ライン９４が制御基板コネクタ９２ａと主遊技装置コネクタ９１ｄとを接続する接続ライン９４を除いて最短距離で接続されている。
　【００３１】
　これに対して、従来の中継端子板９０においては、図８に示すように、制御基板からの配線が接続される制御基板コネクタ群９２の上下外側に主遊技装置（例えば、可変入賞球装置５０）からの配線を接続する主遊技装置コネクタ群９１が配列され、さらに主遊技装置コネクタ群９１の上下外側、すなわち中継端子基板９０の上下端部に副遊技装置からの配線が接続される副遊技装置コネクタ群９３が配置されていたので、制御基板からの配線を制御基板コネクタ群９２に接続しようとする際に、主遊技装置から主遊技装置コネクタ群９１に接続されている配線が邪魔となって、その配線をかき分けながら接続しなければならず、接続しずらいという欠点があった。そこで、これを解決するために図９に示すように、同種類のコネクタ群を集合せしめて、例えば、中央に主遊技装置コネクタ群９１を配置し、下方に制御基板コネクタ群９２を配置し、上方に副遊技装置コネクタ群９３を配置するような構造が考えられる。しかしながら、このような配置構造であると、制御基板コネクタ群９２と副遊技装置コネクタ群９３とを接続する接続ライン（パターン配線）９４を制御基板コネクタ群９２と主遊技装置コネクタ群９１とを接続する接続ライン９４を迂回して形成する必要があるため、中継端子基板９０自体が大型化するという欠点が生ずる。
　【００３２】
　しかしながら、本実施形態における中継端子基板９０は、前述したように構成されるので、主遊技装置としての可変入賞球装置５０からの配線７３を主遊技装置コネクタ群９１に接続した状態においても、制御基板コネクタ群９２がその外側に配列されているので、図８に示す従来の中継基板９０に比べて制御基板からの配線４７を制御基板コネクタ群９２に接続する作業が極めて容易に行えるとともに、制御回路によって制御される主遊技装置及び副遊技装置が接続される主遊技装置コネクタ群９１及び副遊技装置コネクタ群９３が制御基板が接続される制御基板コネクタ群９２を挟むように配置されるので、図９に示すものに比べて中継端子基板９０にプリント配線される接続ライン９４が最短の距離で構成することができ、このため、中継端子基板９０自体を小型化することができる。
　【００３３】
　なお、上記した実施形態においては、中継端子基板９０上に主遊技装置コネクタ群９１、制御基板コネクタ群９２、及び副遊技装置コネクタ群９３とがそれぞれ２列となるものを示したが、制御回路によって制御される主遊技装置の電気的部品、及び副遊技装置の電気的部品が少ない場合には、１列となる場合がある。このような場合でも、制御基板コネクタ９２を挟むように主遊技装置コネクタ９１及び副遊技装置コネクタ９３を配置すれば良い。
　【００３４】
　また、上記した実施形態においては、主遊技装置として可変入賞球装置５０を例示したが、これに限らず、例えば、可変表示装置や内部に電気的部品が配置された入賞球装置であってもよい。更に、中継端子基板９０を入賞玉集合カバー体８０ａの裏面ではなく、遊技盤１０の裏面又は機構板２８の裏面に取付けてもよい。
　【００３５】
　【発明の効果】
　以上、説明したところから明らかなように、本発明に係る弾球遊技機の中継端子基板は、副遊技装置接続端子の色を、接続される電気的装置に使用されている配線に係る色と同一としたので、接続端子の色と同じ色に係る配線を接続すれば良いので、誤配線を確実に防止することができる。また、
中継端子基板の上下に配置されるそれぞれの
【図面の簡単な説明】
　【図１】
　実施形態に係る中継端子基板が取付けられる入賞玉集合カバー体を含む遊技盤裏面の背面概略図である。
　【図２】
　入賞玉集合カバー体の要部拡大図である。
　【図３】
　中継端子基板の正面図である。
　【図４】
　中継端子基板を取付けた状態を示す断面図である。
　【図５】
　実施形態に係る中継端子基板が適用される弾球遊技機の一例としてのパチンコ遊技機の正面図である。
　【図６】
　パチンコ遊技機の背面概略図である。
　【図７】
　主遊技装置としての可変入賞球装置の正面図である。
　【図８】
　従来の主遊技装置と中継端子基板との関係を示す部分背面図である。
　【図９】
　従来の中継端子基板の正面図である。
　【符号の説明】
　１　パチンコ遊技機（弾球遊技機）
　４６　制御基板ボックス
　５０　可変入賞球装置（主遊技装置）
　９０　中継端子基板
　９１　主遊技装置コネクタ群（主遊技装置接続端子）
　９２　制御基板コネクタ群（制御基板接続端子）
　９３　副遊技装置コネクタ群（副遊技装置接続端子）
　副遊技装置として、
　１３　始動入賞装置
　１６ａ，１６ｂ　風車ランプ装置
　２１ａ，２１ｂ　遊技効果表示装置
　２３　枠表示装置
　７４　特定入賞玉検出器
　８７　入賞個数検出器